(57)【要約】【課題】  サムターン回しを防止するサムターン装置の提供。【解決手段】  回転動作によりデッドボルト３を進退させるサムターン軸１２と、サムターン軸１２に着脱可能に係合可能とされ、サムターン軸１２と係合してサムターン軸１２を回転させるツマミ３０と、ツマミ３０を脱落不能に保持する取付座２０と、取付座２０に被せられるカバー４０とを備える。サムターン軸１２は、取付座２０に回転可能に保持されており、ツマミ３０の先端部は、取付座２０に形成された凹部２１に脱落不能に保持されている。ツマミ３０に設けられた磁石３７がサムターン軸１２に設けられたネジ１６と磁着することでツマミ３０とサムターン軸１２との係合状態は保持可能である。外出時などの施錠時には、ツマミ３０を引き出してサムターン軸１２との係合を解除しておくことができる。【選択図】      図３
2005264457.tif 000002
【特許請求の範囲】
【請求項１】
回転動作によりデッドボルトを進退させるサムターン軸と、
サムターン軸に着脱可能に係合可能とされ、サムターン軸と係合してサムターン軸を回転させるツマミと、
サムターン軸と非係合状態のツマミを脱落不能に保持する取付座と
を備えることを特徴とするサムターン装置。
【請求項２】
前記サムターン軸は、前記取付座に回転可能に保持されており、
前記ツマミの先端部は、前記取付座に形成された基端部側に開口した凹部に脱落不能に保持されている
ことを特徴とする請求項１に記載のサムターン装置。
【請求項３】
前記ツマミは、前記サムターン軸への係合位置又は非係合位置で保持されるよう前記取付座に設けられたバネにより付勢される
ことを特徴とする請求項２に記載のサムターン装置。
【請求項４】
前記サムターン軸とツマミとを磁着可能に、サムターン軸の基端部又はツマミの先端部の少なくとも一方には磁石が設けられている
ことを特徴とする請求項１から請求項３までのいずれかに記載のサムターン装置。
【請求項５】
周方向特定箇所において前記サムターン軸とツマミとが係脱される
ことを特徴とする請求項１から請求項４までのいずれかに記載のサムターン装置。
【請求項６】
請求項１から請求項５までのいずれかに記載のサムターン装置が備えられた扉錠又は扉。
【発明の詳細な説明】
【技術分野】
【０００１】
本発明は、不正な解錠を防止できるサムターン装置と、それを備えた扉錠および扉に関するものである。
【背景技術】
【０００２】
一戸建てやマンション等の玄関扉の不正解錠行為の一つとして、いわゆるサムターン回しが知られている。これは、扉と扉枠との隙間（いわゆるチリ）や、扉にあけた穴に針金や紐等を挿入し、この不正解錠手段で室内側に取り付けてあるサムターン装置のツマミを解錠方向に回転させ、デッドボルトを後退して不正解錠するものである。
【発明の開示】
【発明が解決しようとする課題】
【０００３】
本発明は、上記事情に鑑みてなされたものであり、その主たる目的は、いわゆるサムターン回しを有効に防止するサムターン装置を提供することにある。
【課題を解決するための手段】
【０００４】
上記目的を達成するために、本発明のサムターン装置は、回転動作によりデッドボルトを進退させるサムターン軸と、サムターン軸に着脱可能に係合可能とされ、サムターン軸と係合してサムターン軸を回転させるツマミと、サムターン軸と非係合状態のツマミを脱落不能に保持する取付座とを備えることを特徴とする。
【０００５】
また、好ましくは上記構成に加えて、前記サムターン軸は、前記取付座に回転可能に保持されており、前記ツマミの先端部は、前記取付座に形成された基端部側に開口した凹部に脱落不能に保持されていることを特徴とするサムターン装置である。
【０００６】
また、好ましくは上記構成に加えて、前記ツマミは、前記サムターン軸への係合位置又は非係合位置で保持されるよう前記取付座に設けられたバネにより付勢されることを特徴とするサムターン装置である。
【０００７】
また、好ましくは上記構成に加えて、前記サムターン軸とツマミとを磁着可能に、サムターン軸の基端部又はツマミの先端部の少なくとも一方には磁石が設けられていることを特徴とするサムターン装置である。
【０００８】
さらに、好ましくは上記各構成に加えて、周方向特定箇所において前記サムターン軸とツマミとが係脱されることを特徴とするサムターン装置である。
また、本願発明は、上記各構成のいずれかのサムターン装置が備えられた扉錠又は扉である。
【発明の効果】
【０００９】
本発明のサムターン装置によれば、扉にあけた穴から針金や紐等によって不正解錠しようとしても、サムターン軸を解錠方向に回転させることができない。よって、いわゆるサムターン回しを有効に防止することができる。
【発明を実施するための最良の形態】
【００１０】
以下、本発明のサムターン装置について、実施例に基づき更に詳細に説明する。
【００１１】
図１は、本発明のサムターン装置を備えた扉錠の縦断正面図である。図２は、図１の扉錠を示す平面図である。
扉錠１は、従来公知の構造に、本発明のサムターン装置が適用されて構成され、箱状の錠ケース２を備えている。錠ケース２は、扉１００の戸先側端部の上下方向略中央部に取り付けられる。図１に示すように、錠ケース２の戸先側端面に設けられたフロント裏板７が錠ケース取付ネジ９ａにより扉１００の戸先側端部に固定される。また、フロント裏板７にフロント板８が重ね合わされてフロント取付ネジ９ｂにより固定される。
【００１２】
錠ケース２には、扉１００を施解錠するデッドボルト３が設けられている。デッドボルト３は、錠ケース２の戸先側端面から出没可能とされており、そのデッドボルト３を出没させるためのハブ４やクリックモーション用バネ５等の出没操作機構が錠ケース２に内蔵されている。なお、ハブ４は、錠ケース２に固定のハブ取付部材６に回転可能に保持されている。
【００１３】
また、図２に示すように、デッドボルト３の出没、つまり前進又は後退は、錠ケース２に連結するように取り付けられた室内側のサムターン装置１０のツマミ３０の操作、又は室外側のシリンダー錠６０の鍵（不図示）の操作により行なわれる。
【００１４】
図１に示すように、錠ケース２の側壁２ａには、デッドボルト３の出没方向に沿って細長い案内穴２ｂが穿設されており、この案内穴２ｂにデッドボルト３の後部に固定したピン３ａが、案内穴２ｂに沿って摺動可能に嵌挿されている。また、デッドボルト３の後方上部に形成された凹溝状の被係合部３ｂに、回転動作するハブ４の凸状係合部４ａを係合するか否かにより、デッドボルト３が前進又は後退位置で保持される。
なお、図１に示す扉錠１は、本発明のサムターン装置が適用される一例の彫込錠を示すものであり、本発明のサムターン装置１０は、面付錠等その他の錠にも適用可能である。
【００１５】
図３は、本実施例のサムターン装置１０の縦断側面図である。
図３に示すように、サムターン装置１０は、前記ハブ４に先端部１３が接続されるサムターン軸１２と、このサムターン軸１２を回転自在に軸受する取付座２０と、取付座２０を被覆するカバー４０と、サムターン軸１２の基端部に設けられ、サムターン軸１２を回転させるためのツマミ３０とを主要構成部材として備える。
【００１６】
図４は、サムターン軸１２を示す部品図であり、（ａ）は正面図、（ｂ）は右側面図であり一部を断面にして示している。サムターン軸１２は、丸棒状であり、その基端部には、径方向外側に拡径してフランジ１４が形成されている。
【００１７】
また、サムターン軸１２の基端部には、後述するツマミ３０の係合部３５と係合可能な被係合部１５が形成されている。本実施例では、フランジ１４の基端面中央に、その中心を通って、基端部側に開口する凹溝１５が径方向に沿って形成されている。また、フランジ１４の基端面中央は、皿穴状に先端側へ凹んで形成されている。そして、サムターン軸１２の基端部中央には、軸方向に沿って皿ネジ１６がねじ込まれており、皿ネジ１６の頭部は凹溝１５の底部に配置されて露出している。
【００１８】
サムターン軸１２の先端部１３は断面十字状に形成されている。この十字状の先端部１３が、ハブ４のハブ穴４ｂに回転方向に対して遊びがない状態で係合される（図１）。従って、サムターン軸１２に連結されるツマミ３０を回すと、サムターン軸１２の先端部１３がハブ４を介してデッドボルト３を進退させることができる。
また、サムターン軸１２には、フランジ１４から少し先端側位置に、リング２５がはめ込まれるリング取付溝１７が周方向に形成されている。
【００１９】
サムターン軸１２を回転可能に保持する取付座２０は、先端側に開口した筒形状とされる。取付座２０の基端面中央は、先端側へ筒状に凹んで基端部２０ａ側に開口する凹部２１が形成されている。そして、この筒状凹部２１の底壁２２の中央には、サムターン軸１２が通される孔２２ａが軸方向に沿って形成されている。なお、凹部２１の内径は、サムターン軸１２のフランジ１４の外径に対応している。また、前記孔２２ａは、フランジ１４より小径である。
【００２０】
図５は、ツマミ３０を示す部品図であり、（ａ）は正面図、（ｂ）は右側面図であり断面にして示しており、（ｃ）は背面図である。
サムターン軸１２の基端部に設けられるツマミ３０は、回転操作される際に摘まれる操作部３１と、取付座２０の凹部２１に差し込まれる連結部３３とからなる。なお、操作部３１と連結部３３とは、一体的に連結されている。操作部３１の形状は特に問わないが、図示例では、縦断面略菱形の板状であり、図５（ａ）において、上下方向中央部が左右方向に膨出した形状とされる。また、操作部３１の先端部中央は、先端側へ短円柱状に突出して形成されている。この短円柱状部３２の直径は、後述するカバー４０の孔４１ａより大径とされる。
【００２１】
操作部３１の先端面中央に、先端側に突出して略丸棒状の連結部３３が一体的に設けられる。本実施例では、操作部３１の先端面中央に連結部３３の基端部が差し込まれ、操作部３１の基端面中央からネジ（不図示）がねじ込まれて連結部３３が操作部３１に固定される。連結部３３の先端には、サムターン軸１２の被係合部１５に係合可能な係合部３５が一体的に設けられており、本実施例では、サムターン軸１２の凹溝１５に係合可能な凸部３５が一体的に設けられている。具体的には、連結部３３の先端側外周部には、その径方向両側に径方向に沿って略矩形板状の一対の凸部３５，３５が径方向外側へ突出して一体形成されている。一対の凸部３５，３５の先端部間の長さは、取付座２０の凹部２１の内径より小さい寸法とされる。なお、本実施例では、図５（ｃ）に示すように、連結部３３からの一対の凸部３５，３５の突出方向と、短円柱状部３２からの操作部３１の延出方向とが一致している。
【００２２】
連結部３３の先端面中央には、円柱形状の磁石３７が軸方向に沿って設けられており、磁石３７の先端面は露出している。なお、図示例では、磁石３７の先端部が若干連結部の先端面より先端側へ突出している。
【００２３】
取付座２０を被覆するカバー４０は、先端側に開口した筒形状とされ、取付座２０にはめ込み可能に取付座２０の外形より一まわり大きく形成されている。
カバー４０の基端面４１の中央には、ツマミ３０の連結部３３が差し込み可能な孔４１ａが軸方向に貫通して形成されている。なお、この孔４１ａの径は、取付座２０の凹部２１の内径より小径であると共に、連結部３３の一対の凸部３５，３５の先端部間距離より小径とされる。
【００２４】
図３に示すように、サムターン軸１２は、その先端部１３が取付座２０の凹部２１からその底壁２２の孔２２ａに差し込まれて、リング取付溝１７にリング２５がはめ込まれ、フランジ１４とリング２５とで凹部２１の底壁２２を挟み込む。これにより、サムターン軸１２は、その軸方向の移動が規制された状態で取付座２０に回転可能に保持される。そして、取付座２０の凹部２１に、ツマミ３０の連結部３３が差し込まれた状態で、取付座２０にカバー４０が被せられる。また、連結部３３の基端部に、操作部３１がはめ込まれて操作部３１の基端面からネジがねじ込まれて、操作部３１と連結部３３とが一体化される。
【００２５】
サムターン軸１２及びツマミ３０が取り付けられた取付座２０は、扉１００の室内側面に取り付けられる。具体的には、図２に示すように、扉１００に収容された錠ケース２を挟んで、扉１００の室外側面にシリンダー錠６０が取り付けられ、室内側面にサムターン装置１０が取り付けられる。そして、室外側面に設けられたシリンダー錠６０から延出する円筒状の取付柱６３，６３に、室内側からサムターン装置１０のカバー４０が被覆された取付座２０を介してネジ４５，４５がねじ込まれ、扉１００の室内側面にサムターン装置１０が固定され、同時に室外側面にシリンダー錠６０が固定される。
【００２６】
このような構成の本実施例のサムターン装置１０は、ツマミ３０の先端部３０ａに設けられた凸部３５をサムターン軸１２の凹溝１５にはめ込んで係合させた状態において、従来のように、ツマミ３０の操作部３１を施解錠の際に左右いずれかの方向へ９０度回転操作して使用される。ところで、ツマミ３０の先端部には磁石３７が設けられており、これに磁着する皿ネジ１６がサムターン軸１２の凹溝１５に設けられているので、ツマミ３０の凸部３５がサムターン軸１２の凹溝１５にはめ込まれた際には、ツマミ３０とサムターン軸１２とは磁力により互いに引きつけられる。これにより、ツマミ３０から手を離してもその係合状態は維持されて、不用意な係合解除が防止されると共に、ツマミ３０の回転操作を容易且つ確実に行なうことができる。
【００２７】
また、本実施例のサムターン装置１０は、ツマミ３０がサムターン軸１２に着脱可能に取り付けられる。従って、本実施例のサムターン装置１０は、室外側から差し込まれる針金等によってツマミを回転させるいわゆるサムターン回しによる不正解錠を防止することができる。以下、具体的に説明する。
【００２８】
図６は、図３の状態からツマミ３０とサムターン軸１２との係合が解除された状態を示す縦断側面図である。
ツマミ３０とサムターン軸１２とは着脱可能であるので、針金によりツマミ３０に周方向以外の力、例えば上下方向あるいは左右方向に押す力がかかった際には、ツマミ３０とサムターン軸１２との係合が解除される。そして、係合が解除された際には、連結部３３の一対の凸部３５，３５の先端部間距離が、取付座２０の凹部２１の内径より短いので、図６に示すように、ツマミ３０は操作部３１の自重により下方へ傾倒する。このように、ツマミ３０とサムターン軸１２との係合が解除され、ツマミ３０が傾倒するので、サムターン軸１２を回転させることができずサムターン回しが防止される。
【００２９】
さらに、外出時に予めツマミ３０とサムターン軸１２の係合を解除しておくことで、より効果的にサムターン回しによる不正解錠を防止することが可能である。
手動でツマミ３０とサムターン軸１２の係合を解除するには、ツマミ３０を基端側（室内側）に引き出すだけでよい。つまり、ツマミ３０を引き出すことで、連結部３３が取付座２０の凹部２１内を基端側へ移動し、連結部３３の凸部３５がサムターン軸１２の凹溝１５から離脱して係合が解除される。そして、上述したように、連結部３３の一対の凸部３５，３５の先端部間距離は、取付座２０の凹部２１の内径より短いので、図６に示すように、ツマミ３０から手を放すとツマミ３０は操作部３１の自重により下方へ傾倒する。
【００３０】
外出時には、この係合解除状態において室外側から鍵により施錠すればよい。
即ち、ツマミ３０とサムターン軸１２との係合が解除されていることで、室外側から針金等を差し込んでツマミ３０を回転させようとしても、サムターン軸１２を回転させることができず解錠することはできない。また、ツマミ３０とサムターン軸１２とは、周方向特定位置でしか係合しないので、室外側から差し込まれる針金等で係合させることは困難である。
【００３１】
ところで、連結部３３の一対の凸部３５，３５の先端部間距離は、カバー４０の孔４１ａの径より大きいので、ツマミ３０は取付座２０から脱落することがない。すなわち、ツマミ３０を取付座２０から引き出そうとしても、連結部３３の凸部３５がカバー４０の内面に当接して引っ掛かることで、ツマミ３０は取付座２０から脱落することがない。
【００３２】
このように、本実施例のサムターン装置によれば、サムターン回しによる不正解錠を防止することができる。また、ツマミ３０は、取付座２０から取り外されたり、脱落したりすることがないので、ツマミ３０を紛失することがなく、火災等の緊急時にも即対応できるので安全である。
【００３３】
ところで、カバー４０の基端面に施錠または解錠状態におけるサムターン軸１２の凹溝１５の位置を示す印を付けておくことができる。これにより、例えば本実施例では、ツマミ３０の操作部３１の基端面の長手方向（図５（ａ）における上下方向）をカバー４０の印に合わせることで、ツマミ３０をサムターン軸１２に係合させることが可能となる。また、カバー４０とツマミ３０の双方に印を付けておき、印同士を合わせた際に係合可能とすることも可能である。なお、ツマミ３０の連結部３３の凸部３５およびサムターン軸１２の凹溝１５の形状を例えばホームベース状の五角形とすることで、周方向一箇所においてだけ互いに係合されることとなり、さらに不正解錠し難くなる。
【００３４】
次に、上記実施例のサムターン装置の変形例について説明する。
なお、本変形例のサムターン装置は、上記実施例のサムターン装置と基本的に同じ構成であるので、以下、異なる部分を中心に説明する。
【００３５】
図７は、本変形例のサムターン装置１０を示す縦断側面図である。
図８は、図７の状態からツマミとサムターン軸の係合を解除した状態を示す縦断側面図である。
【００３６】
本変形例のサムターン装置１０は、連結部３３の先端部に磁石が設けられておらず、サムターン軸１２の基端部にネジが設けられていない。
本変形例のサムターン装置１０は、ツマミ３０の連結部３３にバネ５０が通されており、このバネ５０は取付座２０の凹部２１内に配置される。本変形例のバネ５０は、円錐台状に巻かれたコイルバネとされる。
【００３７】
コイルバネ５０の大径側端部５０ａの外径は、取付座２０の凹部２１の内径に対応しており、小径側端部５０ｂの内径は、ツマミ３０の連結部３３の外径に対応している。
コイルバネ５０は、その小径側端部５０ｂを連結部３３の凸部３５側に向けて連結部３３に通されている。ツマミ３０が取付座２０に設けられた際、コイルバネ５０は、その大径側端部５０ａがカバー４０の内面に当接され、小径側端部５０ｂが連結部３３の凸部３５に当接される。具体的には、コイルバネ５０は、その大径側端部５０ａが、カバー４０と取付座２０の凹部２１との角部に配置され、小径側端部５０ｂが連結部３３の棒状部と凸部３５との角部に配置される。
【００３８】
ツマミ３０は、コイルバネ５０によりサムターン軸１２側へ付勢され、連結部３３の凸部３５とサムターン軸１２の凹溝１５との係合が維持可能とされている。これにより、ツマミ３０とサムターン軸１２の勝手な係合解除が防止され、ツマミ３０の回転操作を容易に行なうことができる。
【００３９】
本変形例のサムターン装置においても上記実施例と同様、不正解錠を防止することができる。例えば、図８に示すように、ツマミ３０を室内側へバネ５０の付勢力に対抗して引き出し、ツマミ３０とサムターン軸１２の係合を解除すればよい。本変形例においても、上記実施例と同様、ツマミ３０は自重により下方へ傾倒した状態が維持されるようコイルバネ５０の強さを設定すればよい。また、コイルバネ５０が強い場合は、凸部３５，３５を凹部２１の側壁に圧接して傾倒状態を保持するようにすればよい。
【００４０】
本変形例においては、バネ５０を円錐台形状とすることで、ツマミ３０は傾倒し易く、また、取付座２０の凹部２１内においてバネ５０がつまり難い。さらに、バネ５０の小径側端部５０ｂが、ツマミ３０の連結部３３の先端部にはめ込まれていることで、室内側からツマミ３０をサムターン軸１２に係合させる際に、ツマミ３０の位置決めがし易い。
【００４１】
なお、本発明のサムターン装置は、上記実施例の構成に限らず、適宜変更可能である。例えば、ツマミの先端部に磁石を設けたり、ツマミの連結部にバネを通して、ツマミとサムターン軸との係合を維持可能としたが、これらを無くしたり、逆に両方を備えてもよい。
【００４２】
また、上記実施例において、ツマミ側に磁石を配置し、サムターン軸側にネジを配置したが、逆であっても構わず、さらに、両方を磁石としても構わない。さらに、例えばサムターン軸自体が磁石に磁着する金属で製作されている場合には、ネジを設ける必要はない。また、上記実施例では、ツマミ側に係合部（凸部）、サムターン軸側に被係合部（凹溝）を形成したが、逆にしても構わない。加えて、ツマミとサムターン軸とが係合可能であれば、ツマミおよびサムターン軸に形成される係合部又は被係合部の形状は特に問わない。
【００４３】
さらに、上記変形例では、ツマミは、その連結部に通され取付座の凹部内に配置されたバネにより先端側へ付勢される構成について説明したが、バネの取付位置を変更し、ツマミを基端側へ付勢させるようにしても構わない。この場合、ツマミとサムターン軸とを係合させるためには、バネの付勢力に対抗してツマミを先端側へ押し込む必要がある。しかし、ツマミを操作して施錠又は解錠した後にツマミから手を放せばツマミはバネの付勢力により、自動的に基端側へ押し戻され、ツマミとサムターン軸との係合が解除される。
【図面の簡単な説明】
【００４４】
【図１】本発明のサムターン装置を備えた扉錠の縦断正面図である。
【図２】図２は、図１の扉錠を示す平面図である。
【図３】本発明のサムターン装置の一実施例の縦断側面図である。
【図４】図３のサムターン装置のサムターン軸を示す部品図であり、（ａ）は正面図、（ｂ）は右側面図であり一部を断面にして示している。
【図５】図３のサムターン装置のツマミを示す部品図であり、（ａ）は正面図、（ｂ）は右側面図であり断面にして示しており、（ｃ）は背面図である。
【図６】図３の状態からツマミとサムターン軸の係合が解除された状態を示す縦断側面図である。
【図７】本発明のサムターン装置の変形例を示す縦断側面図である。
【図８】図７の状態からツマミとサムターン軸の係合を解除した状態を示す縦断側面図である。
【符号の説明】
【００４５】
１  扉錠
３  デッドボルト
１０  サムターン装置
１２  サムターン軸
１４  フランジ
１５  凹溝
１６  ネジ
２０  取付座
２１  凹部
２２  底壁
２２ａ  孔
３０  ツマミ
３１  操作部
３３  連結部
３５  凸部
３７  磁石
４０  カバー
４１ａ  孔
５０  バネ
６０  シリンダー錠
１００  扉
【図１】
2005264457.tif 000003
【図２】
2005264457.tif 000004
【図３】
2005264457.tif 000005
【図４】
2005264457.tif 000006
【図５】
2005264457.tif 000007
【図６】
2005264457.tif 000008
【図７】
2005264457.tif 000009
【図８】
2005264457.tif 000010